(57)【特許請求の範囲】
【請求項１】
状態が通常状態と点検状態とに切り替わる点検用スイッチを備えたエレベータまたは乗客コンベヤを点検する際に前記エレベータまたは前記乗客コンベヤを監視する監視装置に通信可能に接続されて用いられ、操作されることにより状態が活動状態と休止状態とに切り替わる端末装置を備え、
前記端末装置は、前記点検用スイッチの状態が前記点検状態である場合であって、状態が前記活動状態から前記休止状態に切り替わるように前記端末装置が操作された場合に、状態が前記活動状態のままとなり、
前記端末装置は、前記端末装置の状態が前記休止状態である場合であって、前記点検用スイッチの状態が前記点検状態の場合に、状態が前記休止状態から前記活動状態に切り替わることを特徴とする警告装置。
【請求項２】
前記端末装置は、前記点検用スイッチの状態が前記点検状態である場合であって、状態が前記活動状態から前記休止状態に切り替わるように前記端末装置が操作された場合に警告音を発する発音部を有していることを特徴とする請求項１に記載の警告装置。
【請求項３】
前記端末装置は、前記点検用スイッチの状態が前記点検状態である場合であって、状態が前記活動状態から前記休止状態に切り替わるように前記端末装置が操作された場合に警告画像を表示する表示部を有していることを特徴とする請求項１または請求項２に記載の警告装置。
【請求項４】
前記点検用スイッチの状態が前記点検状態の場合にのみ、前記点検用スイッチの状態が前記点検状態であることを示す点検状態信号を前記端末装置に送る送信装置をさらに備えたことを特徴とする請求項１ないし請求項３の何れか１項に記載の警告装置。
【請求項５】
前記送信装置は、前記点検状態信号を定期的に送ることを特徴とする請求項４に記載の警告装置。
【請求項６】
前記送信装置は、前記点検用スイッチの状態が前記通常状態の場合にのみ、前記点検用スイッチの状態が通常状態であることを示す通常状態信号を前記端末装置に送ることを特徴とする請求項４または請求項５に記載の警告装置。
【請求項７】
前記送信装置は、前記通常状態信号を一時的に送ることを特徴とする請求項６に記載の警告装置。
【請求項８】
状態が通常状態と点検状態とに切り替わる点検用スイッチを備えたエレベータまたは乗客コンベヤを点検する際に前記エレベータまたは前記乗客コンベヤを監視する監視装置に通信可能に接続されて用いられ、操作されることにより状態が活動状態と休止状態とに切り替わる端末装置であって、
前記点検用スイッチの状態が前記点検状態である場合であって、状態が前記活動状態から前記休止状態に切り替わるように操作された場合に、状態が前記活動状態のままとなり、
前記端末装置の状態が前記休止状態である場合であって、前記点検用スイッチの状態が前記点検状態の場合に、状態が前記休止状態から前記活動状態に切り替わることを特徴とする端末装置。
【発明の詳細な説明】
【技術分野】
【０００１】
この発明は、点検作業終了後に点検用スイッチの状態が点検状態となっていることを作業者に知らせるための警告装置および端末装置に関する。
【背景技術】
【０００２】
従来、エスカレータ本体の異常を検出する異常検出装置と、機械室の蓋が回動することによる機械室の出入口の開閉を検出する開閉検出装置と、機械室内に設けられ、操作されることにより状態が通常状態と点検状態とに入れ替わり、状態が点検状態の場合に異常検出装置の検出信号を無効にし、状態が通常状態の場合に異常検出装置の検出信号を有効にする点検用スイッチとを備えたエスカレータが知られている。このエスカレータには、点検用スイッチの状態が点検状態である場合であって、機械室の出入口が閉じられたことを開閉検出装置が検出した場合に点灯する警告用照明灯を備えた警告装置が設けられている。作業者は、機械室の出入口を開けて、点検用スイッチの状態を点検状態にした後に、エスカレータ本体の点検を行う。点検作業終了後に、作業者が点検用スイッチの状態を点検状態から通常状態に切り替えずに、機械室の出入口が閉じられた場合には、警告用照明灯が点灯する。これにより、点検用スイッチの状態が点検状態となっていることを作業者に知らせることができ、点検作業終了後に点検用スイッチの状態が点検状態のままとなってしまうことが抑制される（例えば、特許文献１参照）。
【先行技術文献】
【特許文献】
【０００３】
【特許文献１】特開２０１０−２４０４０号公報
【発明の概要】
【発明が解決しようとする課題】
【０００４】
しかしながら、作業者が警告用照明灯の点灯を見落とした場合には、点検用スイッチの状態が点検状態となっていることを作業者に知らせることができず、点検作業が終了しているにもかかわらず、点検用スイッチの状態が点検状態のままとなってしまうという問題点があった。
【０００５】
この発明は、点検作業終了後に点検用スイッチの状態が点検状態となっていることを作業者に確実に知らせることができる警告装置および端末装置を提供するものである。
【課題を解決するための手段】
【０００６】
この発明に係る警告装置は、状態が通常状態と点検状態とに切り替わる点検用スイッチを備えたエレベータまたは乗客コンベヤを点検する際に前記エレベータまたは前記乗客コンベヤを監視する監視装置に通信可能に接続されて用いられ、操作されることにより状態が活動状態と休止状態とに切り替わる端末装置を備え、前記端末装置は、前記点検用スイッチの状態が前記点検状態である場合であって、状態が前記活動状態から前記休止状態に切り替わるように前記端末装置が操作された場合に、状態が前記活動状態のままとなり、前記端末装置は、前記端末装置の状態が前記休止状態である場合であって、前記点検用スイッチの状態が前記点検状態の場合に、状態が前記休止状態から前記活動状態に切り替わる。
【発明の効果】
【０００７】
この発明に係る警告装置によれば、状態が通常状態と点検状態とに切り替わる点検用スイッチを備えたエレベータまたは乗客コンベヤを点検する際に用いられ、操作されることにより状態が活動状態と休止状態とに切り替わる端末装置を備え、端末装置は、点検用スイッチの状態が点検状態である場合であって、状態が活動状態から休止状態に切り替わるように端末装置が操作された場合に、状態が活動状態のままとなるので、点検作業が終了し、点検用スイッチの状態が点検状態のままで、端末装置の状態が活動状態から休止状態に切り替わるように作業者が端末装置を操作しても、端末装置の状態は活動状態のままとなる。これにより、点検作業終了後に点検用スイッチの状態が点検状態となっていることを作業者に確実に知らせることができる。
【図面の簡単な説明】
【０００８】
【図１】この発明の実施の形態１に係る警告装置を示すブロック図である。
【図２】図１の端末装置のハードウエアを示すブロック図である。
【図３】図１のスイッチ状態記憶部に予め記憶されている点検用スイッチの状態の情報を示すテーブルである。
【図４】図１の端末装置の状態が活動状態の場合の表示部の画面を示す図である。
【図５】図４の表示部の画面に警告画像が表示された状態を示す図である。
【図６】図１のスイッチ状態通知部の動作を示すフローチャートである。
【図７】図１のＯＳ停止抑止部の動作を示すフローチャートである。
【発明を実施するための形態】
【０００９】
実施の形態１．
図１はこの発明の実施の形態１に係る警告装置１を示すブロック図である。図において、警告装置１は、エレベータ２の動作を監視するエレベータ監視装置３と、エレベータ２を点検する際に用いられる端末装置４と、エレベータ監視装置３に接続され、エレベータ監視装置３と端末装置４との間の無線通信を可能にする無線ＬＡＮアクセスポイント５とを備えている。
【００１０】
エレベータ２は、操作されることにより状態が通常状態と点検状態とに切り替わる点検用スイッチ６と、点検用スイッチ６の状態等のエレベータ２の状態についての情報が入力され、かご（図示せず）の昇降を制御するエレベータ制御部７と、エレベータ制御部７に接続されたネットワーク通信部８と、ネットワーク通信部８に接続されたシリアル通信部９とを有している。
【００１１】
点検用スイッチ６としては、点検作業中である旨をエレベータの表示装置（図示せず）に表示させるためのメンテナンススイッチ、かごの天井に設けられた照明装置（図示せず）を点滅点灯させるための点検スイッチ、停電時自動着床装置（図示せず）の駆動を停止させるための駆動停止スイッチ、エレベータ制御部７を収容する制御盤（図示せず）の扉の回動による操作口の開閉を検出する制御盤扉開閉スイッチ等が挙げられる。
【００１２】
エレベータ監視装置３は、点検用スイッチ６の状態等のエレベータ２の状態の情報をエレベータ制御部７から読み出すエレベータ監視部１０と、エレベータ監視部１０が読み出したエレベータ２の状態の情報の中から点検用スイッチ６の状態の情報を読み出して、点検用スイッチ６の状態を示す信号を端末装置４に送るスイッチ状態通知部（送信装置）１１と、エレベータ監視部１０およびスイッチ状態通知部１１のそれぞれに接続されたネットワーク通信部１２と、ネットワーク通信部１２に接続され、エレベータ２のシリアル通信部９に接続されたシリアル通信部１３と、ネットワーク通信部１２に接続され、無線ＬＡＮアクセスポイント５に接続されたＬＡＮ通信部１４とを有している。エレベータ制御部７およびエレベータ監視部１０は、ネットワーク通信部８、シリアル通信部９、シリアル通信部１３およびネットワーク通信部１２を介して、互いに通信可能となっている。
【００１３】
スイッチ状態通知部１１は、点検用スイッチ６の状態が通常状態である場合の点検用スイッチ６の状態の情報が予め記憶される領域と、エレベータ監視部１０から読み出した点検用スイッチ６の状態の情報が記憶される領域とを有している。スイッチ状態通知部１１は、予め記憶されている点検用スイッチ６の状態の情報と、エレベータ監視部１０から読み出した点検用スイッチ６の状態の情報とを比較して、点検用スイッチ６の状態が通常状態であるか点検状態であるかを判定する。
【００１４】
端末装置４は、インテル  アクティブ  マネジメント  テクノロジ（インテルＡＭＴ）に対応したパソコン（パーソナル  コンピュータ）から構成されている。端末装置４は、操作されることにより、ＯＳ（オペレーティングシステム）が稼働している状態である活動状態と、ＯＳが非稼働の状態である休止状態とに状態が切り替わるようになっている。端末装置４は、端末装置４の状態が活動状態のときにのみ動作する活動状態動作部１５と、端末装置４が活動状態であるか休止状態であるかに関係なく動作する定常動作部１６とを有している。
【００１５】
活動状態動作部１５は、スイッチ状態通知部１１から送られた点検用スイッチ６の状態を示す信号に基づいて、点検用スイッチ６の状態の情報を記憶するスイッチ状態記憶部１７と、スイッチ状態記憶部１７に接続されたネットワーク通信部１８と、点検作業に必要なエレベータの状態の情報がエレベータ監視部１０から送られる保守ツール部１９と、操作されることにより端末装置４の状態が活動状態から休止状態に切り替わるＯＳ停止操作部２０と、端末装置４の状態が活動状態から休止状態に切り替わることを抑止するＯＳ停止抑止部２１と、ＯＳが稼働するＯＳ部２２と、警告音を発する発音部２３と、警告画像を表示する表示部２４とを有している。発音部２３および表示部２４は、ＯＳ停止抑止部２１により制御されるようになっている。
【００１６】
定常動作部１６は、管理エンジン部２５と、管理エンジン部２５に接続された無線ＬＡＮ通信部２６と、管理エンジン部２５に制御される電源管理部２７とを有している。無線ＬＡＮアクセスポイント５と無線ＬＡＮ通信部２６との間は、無線通信が行われる。電源管理部２７は、端末装置４の状態が活動状態であるか休止状態であるかに関係なく、管理エンジン部２５および無線ＬＡＮ通信部２６に通電する。したがって、管理エンジン部２５、無線ＬＡＮ通信部２６および電源管理部２７は、端末装置４の状態が活動状態であるか休止状態であるかに関係なく、動作可能となっている。また、電源管理部２７は、端末装置４の状態が活動状態である場合にのみ、スイッチ状態記憶部１７、ネットワーク通信部１８、保守ツール部１９、ＯＳ停止操作部２０、ＯＳ停止抑止部２１、ＯＳ部２２、発音部２３および表示部２４に通電する。したがって、スイッチ状態記憶部１７、ネットワーク通信部１８、保守ツール部１９、ＯＳ停止操作部２０、ＯＳ停止抑止部２１、ＯＳ部２２、発音部２３および表示部２４は、端末装置４の状態が活動状態である場合にのみ、動作可能となっている。
【００１７】
端末装置４の状態が活動状態である場合にのみ、エレベータ監視部１０と保守ツール部１９との間の通信が可能となり、スイッチ状態通知部１１とスイッチ状態記憶部１７との間の通信が可能となる。端末装置４が活動状態であるか休止状態であるかに関係なく、スイッチ状態通知部１１と管理エンジン部２５との間の通信が可能となっている。
【００１８】
図２は図１の端末装置４のハードウエアを示すブロック図である。端末装置４のハードウエアは、活動状態動作部１５（図１）を動作させるための活動状態動作ハードウエア部２８と、定常動作部１６（図１）を動作させるための定常動作ハードウエア部２９と、活動状態動作ハードウエア部２８および定常動作ハードウエア部２９のそれぞれに電力を供給する電源供給装置３０とを有している。
【００１９】
活動状態動作ハードウエア部２８は、ＣＰＵ（セントラル  プロセッシング  ユニット）３１と、ＨＤＤ（ハード  ディスク  ドライブ）３２と、ＨＤＤ３２を制御するＨＤＤコントローラ３３と、ディスプレイ３４と、ディスプレイ３４を制御するディスプレイコントローラ３５と、スピーカ３６と、スピーカ３６を制御するサウンドコントローラ３７と、キーボード・マウス３８と、キーボード・マウス３８を制御する入力コントローラ３９とを有している。
【００２０】
定常動作ハードウエア部２９は、管理ＣＰＵ４０と、管理ＣＰＵ４０に接続されたメモリコントローラ４１と、メモリコントローラ４１により制御されるメモリ４２と、メモリコントローラ４１に接続されたＩ／Ｏコントローラ４３と、無線ＬＡＮインタフェース４４と、不揮発性メモリ４５とを有している。無線ＬＡＮインタフェース４４および不揮発性メモリ４５は、Ｉ／Ｏコントローラ４３に接続されている。
【００２１】
図３は図１のスイッチ状態記憶部１７に予め記憶されている点検用スイッチ６の状態の情報を示すテーブルである。スイッチ状態記憶部１７には、メンテナンススイッチ、点検スイッチ、停電時自動着床装置の駆動停止スイッチおよび制御盤扉開閉スイッチのそれぞれの状態が通常状態である場合の各スイッチの状態の情報が予め記憶されている。メンテナンススイッチおよび点検スイッチの状態は、通常状態の場合に、オフ状態となり、点検状態の場合に、オン状態となる。駆動停止スイッチおよび制御盤扉開閉スイッチの状態は、通常状態の場合に、オン状態となり、点検状態の場合に、オフ状態となる。
【００２２】
スイッチ状態記憶部１７は、点検用スイッチ６の状態の情報が予め記憶される領域と、スイッチ状態通知部１１から送られる点検用スイッチ６の状態を示す信号に基づいた点検用スイッチ６の状態の情報が記憶される領域とを有している。
【００２３】
ＯＳ停止抑止部２１（図１）には、スイッチ状態記憶部１７が予め記憶している点検用スイッチ６の状態の情報と、スイッチ状態通知部１１から送られる点検用スイッチ６の状態を示す信号に基づいてスイッチ状態記憶部１７に記憶された点検用スイッチ６の状態の情報とが入力されるようになっている。ＯＳ停止抑止部２１は、スイッチ状態記憶部１７が予め記憶している点検用スイッチ６の状態の情報と、スイッチ状態通知部１１から送られる点検用スイッチ６の状態を示す信号に基づいてスイッチ状態記憶部１７に記憶された点検用スイッチ６の状態の情報とを比較して、点検用スイッチ６の状態が通常状態であるか点検状態であるかを判定する。
【００２４】
図４は図１の端末装置４の状態が活動状態の場合の表示部２４の画面を示す図である。端末装置４の表示部２４の画面には、端末装置４の状態が活動状態の場合に、ＯＳ停止操作を受け付けるＯＳ停止釦４６の画像が表示される。ＯＳ停止操作部２０（図１）は、ＯＳ停止釦４６が押し下げられることにより、ＯＳ停止抑止部２１（図１）に対して、端末装置４の状態が活動状態から休止状態に切り替わるように、ＯＳ停止の信号を送る。
【００２５】
図５は図４の表示部２４の画面に警告画像が表示された状態を示す図である。点検用スイッチ６の状態が点検状態である場合であって、ＯＳ停止釦４６が操作された場合には、ＯＳ停止操作部２０からＯＳ停止の信号が送られるものの、ＯＳ停止抑止部２１は、端末装置４の状態を活動状態のままとし、表示部２４の画面に、点検用スイッチ６の状態を通常状態に戻してから作業を終了させることを指示する旨の警告文が記載された警告画像を表示させる。
【００２６】
次に、スイッチ状態通知部１１の動作について説明する。図６は図１のスイッチ状態通知部１１の動作を示すフローチャートである。まず、スイッチ状態通知部１１は、エレベータ制御部７から点検用スイッチ６の状態の情報を読み出す（ステップＳ１）。
【００２７】
その後、スイッチ状態通知部１１は、読み出した点検用スイッチ６の状態の情報に基づいて、点検用スイッチ６の中の何れかのスイッチの状態が点検状態であるか否かを判定する（ステップＳ２）。ステップＳ２で、点検用スイッチ６の中の何れのスイッチの状態も点検状態ではないとスイッチ状態通知部１１が判定すると、ステップＳ１が繰り返される。
【００２８】
一方、ステップＳ２で、点検用スイッチ６の中の何れかのスイッチの状態が点検状態であるとスイッチ状態通知部１１が判定すると、スイッチ状態通知部１１は、スイッチ状態通知部１１とスイッチ状態記憶部１７との間での通信が可能か否かを判定する（ステップＳ３）。ステップＳ３で、スイッチ状態通知部１１とスイッチ状態記憶部１７との間での通信が可能であるとスイッチ状態通知部１１が判定すると、スイッチ状態通知部１１は、スイッチ状態記憶部１７に対して、点検用スイッチ６の状態を示す信号を送る（ステップＳ４）。このとき、スイッチ状態通知部１１は、点検用スイッチ６の状態が点検状態であれば、点検用スイッチ６の状態が点検状態であることを示す点検状態信号を送り、点検用スイッチ６の状態が通常状態であれば、点検用スイッチ６の状態が通常状態であることを示す通常状態信号を送る。
【００２９】
その後、スイッチ状態通知部１１は、点検用スイッチ６の中の全てのスイッチの状態が通常状態であるか否かを判定する（ステップＳ５）。ステップＳ５で、点検用スイッチ６の中の全てのスイッチの状態が通常状態であるとスイッチ状態通知部１１が判定すると、ステップＳ１に戻る、一方、ステップＳ５で、点検用スイッチ６の中の何れかのスイッチの状態が点検状態であるとスイッチ状態通知部１１が判定すると、ステップＳ３に戻る。これにより、点検用スイッチ６の状態が点検状態の場合に、点検状態信号がスイッチ状態記憶部１７に定期的に送られ、点検用スイッチ６の状態が点検状態から通常状態に切り替わった直後に、点検状態信号が送られることが停止され、通常状態信号がスイッチ状態記憶部１７に一時的に送られ、その後、スイッチ状態記憶部１７へ通常状態信号が送られることが停止される。
【００３０】
一方、ステップＳ３で、スイッチ状態通知部１１とスイッチ状態記憶部１７との間での通信が可能ではないとスイッチ状態通知部１１が判定すると、スイッチ状態通知部１１は、管理エンジン部２５に対して、ＯＳ部２２を起動させることを指示する信号を送る。これにより、管理エンジン部２５の制御により、ＯＳ部２２が起動する（ステップＳ６）。その後、エレベータ監視装置３のネットワーク通信部１２と端末装置４のネットワーク通信部１８との間が互いに通信可能となり、スイッチ状態通知部１１とスイッチ状態記憶部１７との間の通信が可能となる（ステップＳ７）。その後、ステップＳ４に進む。
【００３１】
次に、ＯＳ停止抑止部２１の動作について説明する。図７は図１のＯＳ停止抑止部２１の動作を示すフローチャートである。まず、ＯＳ停止抑止部２１は、ＯＳ停止操作部２０からＯＳ停止の信号を受けたか否かを判定する（ステップＳ１１）。ステップＳ１１で、ＯＳ停止操作部２０からＯＳ停止の信号を受けていないとＯＳ停止抑止部２１が判定すると、ステップＳ１１が繰り返される。
【００３２】
一方、ステップＳ１１で、ＯＳ停止操作部２０からＯＳ停止の信号を受けたとＯＳ停止抑止部２１が判定すると、ＯＳ停止抑止部２１は、スイッチ状態記憶部１７から点検用スイッチ６の状態の情報を読み出す（ステップＳ１２）。
【００３３】
その後、ＯＳ停止抑止部２１は、点検用スイッチ６の中の何れかのスイッチの状態が点検状態であるか否かを判定する（ステップＳ１３）。ステップＳ１３で、点検用スイッチ６の中の何れかのスイッチの状態が点検状態であるとＯＳ停止抑止部２１が判定すると、ＯＳ停止抑止部２１は、ＯＳ部２２を停止させず、一定時間、表示部２４に警告画像を表示させ、さらに、発音部２３に警告音を発せさせ（ステップＳ１４）、ステップＳ１に戻る。
【００３４】
一方、ステップＳ１３で、点検用スイッチ６の中の全てのスイッチの状態が通常状態であるとＯＳ停止抑止部２１が判定すると、ＯＳ停止抑止部２１は、表示部２４に通常画像を表示させ（ステップＳ１５）、その後、ＯＳ部２２を停止させる（ステップＳ１６）。
【００３５】
以上説明したように、この発明の実施の形態１に係る警告装置１によれば、状態が通常状態と点検状態とに切り替わる点検用スイッチ６を備えたエレベータ２を点検する際に用いられ、操作されることにより状態が活動状態と休止状態とに切り替わる端末装置４を備え、端末装置４は、点検用スイッチ６の状態が点検状態である場合であって、状態が活動状態から休止状態に切り替わるように端末装置４が操作された場合に、状態が活動状態のままとなるので、点検作業が終了し、点検用スイッチ６の状態が点検状態のままで、端末装置４の状態が活動状態から休止状態に切り替わるように作業者が端末装置４を操作しても、端末装置４の状態は活動状態のままとなる。これにより、点検作業終了後に点検用スイッチ６の状態が点検状態となっていることを作業者に確実に知らせることができる。
【００３６】
また、端末装置４は、点検用スイッチ６の状態が点検状態である場合であって、状態が活動状態から休止状態に切り替わるように端末装置４が操作された場合に警告音を発する発音部２３を有しているので、点検用スイッチ６の状態が点検状態のままで、端末装置４の状態が活動状態から休止状態に切り替わるように端末装置４が操作された場合に、発音部２３が警告音を発し、点検用スイッチ６の状態が点検状態となっていることを作業者にさらに確実に知らせることができる。
【００３７】
また、端末装置４は、点検用スイッチ６の状態が点検状態である場合であって、状態が活動状態から休止状態に切り替わるように端末装置４が操作された場合に警告画像を表示する表示部２４を有しているので、点検用スイッチ６の状態が点検状態のままで、端末装置４の状態が活動状態から休止状態に切り替わるように端末装置４が操作された場合に、表示部２４が警告画像を表示し、点検用スイッチ６の状態が点検状態となっていることを作業者にさらに確実に知らせることができる。
【００３８】
また、警告装置１は、点検用スイッチ６の状態が点検状態の場合にのみ、点検用スイッチ６の状態が点検状態であることを示す点検状態信号を端末装置４に送るスイッチ状態通知部１１を備えているので、点検用スイッチ６の状態が点検状態の場合に、点検用スイッチ６の状態が点検状態であることを端末装置４に確実に通知することができる。
【００３９】
また、スイッチ状態通知部１１は、点検状態信号を端末装置４に定期的に送るので、スイッチ状態通知部１１と端末装置４との間の通信が一時的に不能となった場合であっても、スイッチ状態通知部１１と端末装置４との間の通信が回復した後に、点検用スイッチ６の状態が点検状態であることを端末装置４に確実に通知することができる。
【００４０】
また、スイッチ状態通知部１１は、点検用スイッチ６の状態が通常状態の場合にのみ、点検用スイッチ６の状態が通常状態であることを示す通常状態信号を端末装置４に送るので、点検用スイッチ６の状態が通常状態であることを端末装置４に確実に通知することができる。
【００４１】
また、スイッチ状態通知部１１は、通常状態信号を一時的に送るので、点検用スイッチ６の状態が通常状態に戻った後に、継続して通常状態信号が端末装置４に送られることが防止される。
【００４２】
また、端末装置４は、端末装置４の状態が休止状態である場合であって、点検用スイッチ６の状態が点検状態の場合に、状態が休止状態から活動状態に切り替わるので、作業者が端末装置４を休止状態のままで、点検用スイッチ６の状態が点検状態となるように点検用スイッチ６を操作すると、端末装置４の状態が休止状態から活動状態に切り替わる。これにより、点検用スイッチ６が点検状態となっていることを作業者により確実に知らせることができる。
【００４３】
なお、上記実施の形態１では、エレベータ２を点検する際に用いられる端末装置４を備えた警告装置１について説明したが、エスカレータや動く歩道等の乗客コンベヤを点検する際に用いられる端末装置４を備えた警告装置１であってもよい。
【００４４】
また、上記実施の形態１では、点検用スイッチ６の状態の情報がエレベータ監視装置３および無線ＬＡＮアクセスポイント５を介して端末装置４に入力される構成について説明したが、点検用スイッチ６の状態の情報が点検用スイッチ６から直接的に端末装置４に入力される構成や、点検用スイッチ６の状態の情報がエレベータ監視装置３および無線ＬＡＮアクセスポイント５を介さずにエレベータ制御部７から端末装置４に入力される構成であってもよい。
【００４５】
また、上記実施の形態１では、端末装置４の休止状態として、ＯＳが非稼働である状態を例に説明したが、端末装置４の休止状態としては、ＯＳが動作せず、発音部２３や表示部２４などにより作業者に警告を通知する手段が動作不可となる状態、例えば、ハイバネーション（実行状態のＨＤＤへの退避、ＣＰＵ、メモリへの電力供給停止）やサスペンド（実行状態をメモリに維持したままＣＰＵを省電力モードに移行し、ＨＤＤ、Ｉ／Ｏ類等への電力供給停止）等の状態であってもよい。
【００４６】
また、上記実施の形態１では、ＯＳ停止操作部２０がＯＳ停止釦４６の押し下げによりＯＳ停止抑止部２１に対してＯＳ停止の信号を送る構成について説明したが、端末装置４の停止スイッチ（作業者が直接操作するものや、ノート型パソコンを折りたたむことに連動して入り切りするもの）に連動して、ＯＳ停止操作部２０がＯＳ停止抑止部２１に対してＯＳ停止の信号を送る構成であってもよい。
【００４７】
また、上記実施の形態１では、エレベータ監視装置３と端末装置４との間の通信が無線により行われる構成について説明したが、エレベータ監視装置３と端末装置４との間の通信が有線により行われる構成であってもよい。
【００４８】
また、上記実施の形態１では、スイッチ状態通知部１１が読み出した点検用スイッチ６の状態が点検状態である場合に、スイッチ状態通知部１１がスイッチ状態記憶部１７に点検用スイッチ６の状態の情報を送る構成について説明したが、スイッチ状態通知部１１が読み出した点検用スイッチ６の状態が点検状態であるか通常状態であるかに関係なく、スイッチ状態通知部１１がスイッチ状態記憶部１７に点検用スイッチ６の状態の情報を送る構成であってもよい。
【００４９】
また、上記実施の形態１では、スイッチ状態記憶部１７が予め記憶している点検用スイッチ６の状態の情報と、スイッチ状態通知部１１から送られる点検用スイッチ６の状態の情報とを比較して、点検用スイッチ６の状態が通常状態であるか点検状態であるかをＯＳ停止抑止部２１が判定する構成について説明したが、点検用スイッチ６の状態の情報から点検用スイッチ６の状態が通常状態であるか点検状態であるかについてスイッチ状態記憶部１７が判定してもよい。スイッチ状態記憶部１７が判定する場合には、判定結果がＯＳ停止抑止部２１に送られる。また、スイッチ状態通知部１１の判定結果がスイッチ状態記憶部１７やＯＳ停止抑止部２１に送られる構成であってもよい。
【００５０】
また、上記実施の形態１では、点検用スイッチ６として、点検作業中である旨をエレベータの表示装置（図示せず）に表示させるためのメンテナンススイッチ、かごの天井に設けられた照明装置（図示せず）を点滅点灯させるための点検スイッチ、停電時自動着床装置（図示せず）の駆動を停止させるための駆動停止スイッチ、エレベータ制御部７を収容する制御盤（図示せず）の扉の回動による操作口の開閉を検出する制御盤扉開閉スイッチを例に挙げて説明したが、これらのスイッチに限らず、その他のスイッチであってもよい。
【符号の説明】
【００５１】
１  警告装置、２  エレベータ、３  エレベータ監視装置、４  端末装置、５  無線ＬＡＮアクセスポイント、６  点検用スイッチ、７  エレベータ制御部、８  ネットワーク通信部、９  シリアル通信部、１０  エレベータ監視部、１１  スイッチ状態通知部（送信装置）、１２  ネットワーク通信部、１３  シリアル通信部、１４  ＬＡＮ通信部、１５  活動状態動作部、１６  定常動作部、１７  スイッチ状態記憶部、１８  ネットワーク通信部、１９  保守ツール部、２０  ＯＳ停止操作部、２１  ＯＳ停止抑止部、２２  ＯＳ部、２３  発音部、２４  表示部、２５  管理エンジン部、２６  無線ＬＡＮ通信部、２７  電源管理部、２８  活動状態動作ハードウエア部、２９  定常動作ハードウエア部、３０  電源供給装置、３１  ＣＰＵ、３２  ＨＤＤ、３３  ＨＤＤコントローラ、３４  ディスプレイ、３５  ディスプレイコントローラ、３６  スピーカ、３７  サウンドコントローラ、３８  キーボード・マウス、３９  入力コントローラ、４０  管理ＣＰＵ、４１  メモリコントローラ、４２  メモリ、４３  Ｉ／Ｏコントローラ、４４  無線ＬＡＮインタフェース、４５  不揮発性メモリ、４６  ＯＳ停止釦。
【図１】
0005654893.tif 000002
【図２】
0005654893.tif 000003
【図３】
0005654893.tif 000004
【図４】
0005654893.tif 000005
【図５】
0005654893.tif 000006
【図６】
0005654893.tif 000007
【図７】
0005654893.tif 000008